【事件の表示】
　特許第３０２４０８４号「揮発性化合物とフェニル化シリコーン油との組み合わせおよび親水性成分を含有する組成物、およびその用途」の請求項１〜２９に係る特許に対する特許異議の申立てについて、次のとおり決定する。
【結　論】
　特許第３０２４０８４号の請求項１〜２９に係る特許を取り消す。
【理　由】
１．手続の経緯
　特許出願　　　　　　　　　平成９年７月１５日
（パリ条約による優先権主張　平成８年７月１７日、フランス共和国）
　特許権設定登録　　　　　　平成１２年１月２１日
　特許異議の申立て(申立人福島一郎、請求項1〜29に係る特許に対して)
　　　　　　　　　　　　　　平成１２年９月２０日
　取消理由通知（起案日）　　平成１２年１２月８日
　訂正請求（１）　　　　　　平成１３年６月２６日
　取消理由通知（起案日）　　平成１３年１０月２３日
　訂正請求（２）及び訂正請求（１）の取下げ
　　　　　　　　　　　　　　平成１４年５月２日
　訂正請求（２）の取下げ　　平成１５年３月２５日
　
２．特許異議の申立てについて
（１）本件特許発明
　本件特許の請求項１〜２９に係る発明は、その特許請求の範囲の請求項１〜２９に記載された事項により特定される以下のとおりのものである。
請求項１　多価アルコール、増粘化またはゲル化した水相、およびこれらの混合物から選択される親水性成分、および、少なくとも１つの引火点が４０から１００℃である揮発性化合物と少なくとも１つのフェニル化シリコーン油とを含有する脂肪相を含有し、前記親水性成分は脂肪相に分散され、前記フェニル化シリコーン油が、式：（審決注：化学構造式は省略）（式中、Rは、１から３０の炭素数のアルキル基、アリール基、またはアラルキル基であり、nは、０から１００までの間の整数であり、mは、０から１００までの間の整数であり、ただし、m＋nの合計が、１から１００までの間の整数である）で表わされる化合物およびその混合物から選択される、移動しない化粧品組成物。
請求項２　多価アルコール、増粘化またはゲル化した水相、およびこれらの混合物から選択される親水性成分、および、少なくとも１つの引火点が４０から１００℃である揮発性化合物と少なくとも１つのフェニル化シリコーン油とを含有する脂肪相を含有し、前記親水性成分は脂肪相に分散され、前記フェニル化シリコーン油が、式：（審決注：化学構造式は省略）（式中、Rは、１から３０の炭素数のアルキル基、アリール基、またはアラルキル基であり、nは、０から１００までの間の整数であり、mは、０から１００までの間の整数であり、ただし、m＋nの合計が、１から１００までの間の整数である）で表わされる化合物およびその混合物から選択される、移りの無い、化粧品組成物。
請求項３　親水性成分が、２から８の炭素数と２から６の水酸基を有する少なくとも１つの化合物、平均分子量が１５０から６００であるポリエーテルアルコール、及びこれらの混合物を含有する、請求項１ないし２のいずれか１項に記載の組成物。
請求項４　親水性成分が、エチレングリコール、グリセロール、１，２−プロパンジオール、ジグリセロール、エリスリトール、アラビトール、アドニトール、ソルビトール、またはダルシトールから選択される少なくとも１つの化合物、ポリエチレングリコール３００またはポリグリセロール５００、及びこれらの混合物を含有する、請求項３に記載の組成物。
請求項５　藻の抽出物；種の抽出物；果物抽出物；植物しん出液；セルロース誘導体；動物由来のゲル化剤；微生物しん出液；合成ゲル化剤；およびこれらの混合物から選択される増粘剤を用いて、水相が増粘される、請求項１または２に記載の組成物。
請求項６　寒天、カラギーナン、アルギナート、カロブ抽出物、グア抽出物、ペクチン、アラビアゴム、トラガカントゴム、カラヤゴム、ガッチゴム、カルボキシメチルセルロース、ゼラチン、カゼイナート、キサンタンゴム、アクリルポリマー誘導体、シリコン誘導体、及びこれらの混合物から選択される増粘剤を用いて、水相が増粘される、請求項５に記載の組成物。
請求項７　増粘剤が、水相に対して、０．２から１０重量％の比率で水相に存在する、請求項５に記載の組成物。
請求項８　親水性成分が、組成物の重量に対して、４から４０重量％存在する、請求項１ないし７のいずれか１項に記載の組成物。
請求項９　親水性成分が、組成物の重量に対して、８から２５重量％存在する、請求項８に記載の組成物。
請求項１０　少なくとも１つの界面活性剤をさらに含有する、請求項１ないし９のいずれか１項に記載の組成物。
請求項１１　揮発性化合物が、環状または直鎖状の、環状シリコーン油、直鎖状シリコーン油、炭化水素油、単独、またはこれらの混合物から選択される、請求項１ないし１０のいずれか１項に記載の組成物。
請求項１２　揮発性化合物が、３から８のケイ素原子を有する揮発性環状シリコーン；ジメチルシロキサン／メチルアルキルシロキサンタイプのシクロコポリマー；２から９のケイ素原子を有する揮発性直鎖状シリコーン；アルキルトリシロキサン；揮発性炭化水素油；およびこれらの混合物から選択される、請求項１ないし１１のいずれか１項に記載の組成物。
請求項１３　揮発性化合物が、組成物の全重量に対して、８から７０重量％存在する、請求項１ないし１２のいずれか１項に記載の組成物。
請求項１４　揮発性化合物が、組成物の全重量に対して、１５から５５重量％存在する、請求項１３に記載の組成物。
請求項１５　フェニル化シリコーン油が、組成物の全重量に対して、１から３５重量％存在する、請求項１ないし１４のいずれか１項に記載の組成物。
請求項１６　フェニル化シリコーン油が、組成物の全重量に対して、２０から３０重量％存在する、請求項１５に記載の組成物。
請求項１７　少なくとも１つのワックスをさらに含有する、請求項１ないし１６のいずれか１項に記載の組成物。
請求項１８　ワックスが、マイクロクリスタリンワックス、パラフィン、ワセリン、鉱油、オゾケライト、モンタンワックス、ビーズワックス、ラノリンおよびその誘導体、カンデリラワックス、オーリキュリーワックス、カルナウバワックス、もくろう、ココアバター、コルク繊維ワックス、またはシュガーカーンワックス；２５℃で固体である水素化オイル、２５℃で固体であるグリセリドおよび脂肪エステル；ポリエチレンワックスおよびフィッシャー−トロッシュ合成によって得られたワックス；シリコーンワックス；フルオロワックス；およびこれらの混合物から選択される、請求項１７に記載の組成物。
請求項１９　ワックスが、組成物の全重量に対して、０．５から３０重量％存在する、請求項１７または１８に記載の組成物。
請求項２０　植物、鉱物、動物、合成、またはシリコーン由来の、オイル、ゴム、ペースト状脂肪物質、およびこれらの混合物から選択される脂肪物質をさらに含有する、請求項１ないし１９に記載の組成物。
請求項２１　不揮発性炭化水素油を２０重量％よりも少ない量で含有する、請求項１ないし２０に記載の組成物。
請求項２２　不揮発性炭化水素油を５重量％よりも少ない量で含有する、請求項２１に記載の組成物。
請求項２３　ピグメントおよび／または充填剤および／またはパール剤をさらに含有する、請求項１ないし２２に記載の組成物。
請求項２４　微生物に対しての活性剤；抗炎症または炎症調節活性を有する薬剤；神経メディエータに拮抗する、または神経メディエータの放出を調節する薬剤；細胞分化および／または増殖および／または色素沈着を調節する、および／または角質化を調節する薬剤；口唇炎の治療および／または予防に活性を有する薬剤；抗ヒスタミン；はんこん形成剤をさらに含有する、請求項１ないし２３に記載の組成物。
請求項２５　スティックまたはペンシル形状の、または、任意にゲル化した油液状の、または、６０Hzの振動数で、”MS−r４”ローターが装備されたコントラブスTVロータリー粘度計で測定すると、２５℃で３から３５Pa．sの動的粘度を有するソフトペースト状である、請求項１ないし２４に記載の組成物。
請求項２６　皮膚、粘膜、半粘膜、および皮膚外格用ケアおよび／またはメークアップ製品；衛生製品；または薬剤製品の形態である、請求項１ないし２５に記載の組成物。
請求項２７　ファンデーション、ブラッシャー、アイシャドー、リップスティック、マスカラ、アイライナー、リップケア製品、リップ用定着ベース、日焼け製品、または日焼け防止製品の形態である、請求項１ないし２６に記載の組成物。
請求項２８　多価アルコール、増粘化またはゲル化した水相、およびこれらの混合物から選択され、かつ、脂肪相中に分散された親水性成分を含有する化粧品組成物の、移りまたは移動を制限、減少、および／または除去する美容方法であって、該脂肪相に少なくとも１つの引火点が４０から１００℃である揮発性化合物と少なくとも１つのフェニル化シリコーン油を導入する工程を含有する方法。
請求項２９　皮膚、粘膜、半粘膜、および皮膚外格用ケアおよび／またはメークアップ製品である、請求項２８に記載の方法
　
（２）取消理由通知の概要
　当審による平成１３年１０月２３日付け取消理由通知の概要は、本件特許の請求項１〜５、７〜２９に係る発明は、その出願前日本国内において頒布された下記の刊行物１、２及び４に記載された発明であり、また、本件特許の請求項１〜２９に係る発明は、その出願前日本国内において頒布された下記の刊行物１、３〜６に記載された発明に基いて、当業者が容易に発明をすることができたというものである。
　刊行物１：特開平２−８８５１１号公報
　刊行物２：特開平２−８８５１３号公報
　刊行物３：特開平７−１８７９５４号公報
　刊行物４：特開昭６２−２３８２１２号公報
　刊行物５：（財）日本公定書協会「化粧品原料基準」第二版注解(1984-8-1)（株）薬事日報社　p.1151-1152「メチルフェニルポリシロキサン」の項（特にp.1152の式）
　刊行物６：特開昭６２−４８６１４号公報
　
（３）判断
　刊行物１には「固型状油中水型乳化化粧料」が開示されており、その実施例６には、多価アルコールとしてグリセリンを2.0重量％及び1,3-ブチレングリコールを1.0重量％、揮発性化合物としてデカメチルシクロペンタシロキサンを20.0重量％、フェニル化シリコーン油としてメチルフェニルポリシロキサン（必要であれば刊行物５のp.1152の式でａ＝０，ｂ＝１〜１００の場合参照）を5.0重量％含有するスティック状乳化ファンデーションが記載されている。また、刊行物２には「固型状油中水型乳化化粧料」が開示されており、その実施例７には、多価アルコールとしてグリセリンを15重量％及び1,3-ブチレングリコールを2重量％、揮発性化合物としてデカメチルシクロペンタシロキサンを15重量％、フェニル化シリコーン油としてメチルフェニルポリシロキサン（必要であれば刊行物５のp.1152の式でａ＝０，ｂ＝１〜１００の場合参照）を20重量％含有するコンパクト状乳化ファンデーションが記載されている。そして、これらの刊行物に開示された化粧料組成物の製品形態は、本件化粧品組成物の製品形態（本件特許明細書の段落番号[0065]〜[0067]参照）と重複することから、刊行物に記載された化粧料組成物も本件発明と同様に外部基体に移りのない、或いは、移動しないという効果を奏するものと認められるので、本件特許の請求項１〜５、７〜２９に係る発明は、刊行物１及び２に記載された発明である。
　刊行物４には、本件請求項２８に記載の揮発性化合物に相当するジメチルポリシロキサンが、フェニル化シリコーン油に相当するメチルフェニルポリシロキサンが、親水性成分に相当する合成ヘクトライト及び精製水を含有する口紅（実施例２）が、また、揮発性化合物に相当するオクタメチルシクロテトラシロキサンが、フェニル化シリコーン油に相当するメチルフェニルポリシロキサンが、親水性成分に相当するラポナイト、グリセリン、プロピレングリコール及び精製水を含有するリップコート（実施例５）が記載されている。これらの組成物は、その製法から見て親水性成分が揮発性化合物及びフェニル化シリコーン油を含有する脂肪相に分散したものと認められる。そして、刊行物４に記載された化粧料は化粧持ちに優れたものであるとの記載からみても、本件発明と同様に、移りまたは移動を制限、減少、および／または除去されたものと認められるので、本件特許の請求項２８〜２９に係る発明は、刊行物４に記載された発明である。
　
　刊行物３の実施例に記載の口紅組成物は、フェニル化シリコーン油を含有しない点において本件発明と相違する。しかしながら、刊行物３の段落番号[0022]には「本発明には上記成分Ｂ〜Ｄ及びＦ以外の不揮発性成分として、常温で液状または半固体状である成分を配合することが好ましい。配合可能な不揮発性成分は、例えば、油剤としては通常化粧料に使用し得るもので、…ジメチルポリシロキサン・メチルフェニルポリシロキサン等の…シリコーン系等の液体油…が挙げられる。」と記載されており、また、同刊行物にはシリコーン系の油剤としてジメチルポリシロキサン（２０ｃｓ）を配合する例がその実施例２、４及び６に記載されている点、メチルフェニルポリシロキサンの応用について刊行物５には「一般的にファンデーション類、眉目類、クリーム・乳液類及び頭髪用化粧品などに、…油分などの目的で用いられる」（メチルポリシロキサンの応用の項の記載）を参照と記載されている点、メチルフェニルポリシロキサンを使用する例は刊行物１（実施例６）、４（実施例２及び５）及び６（実施例２）に記載されている点を勘案すると、刊行物３の実施例に記載の口紅組成物の油剤として、ジメチルポリシロキサン（２０ｃｓ）に代えて（または加えて）メチルフェニルポリシロキサンを配合することは、当業者であれば格別の創意を要する事項とは認められない。
　刊行物６には、水膨潤性粘土鉱物及び水を含有する皮膚及び唇への保湿効果に優れた固型化粧料が記載されており（水膨潤性粘土鉱物及び水は、本件発明にいう増粘化又はゲル化した水相からなる親水性成分に相当すると認められる）、メチルフェニルポリシロキサン（本件発明のフェニル化シリコーン油に相当すると認められる）を配合する例（実施例２）も記載されている。一方、メーキャップ化粧料において、本件発明の揮発性化合物に相当すると認められる物質を配合したものが化粧料の耐うつり性を改善し、化粧くずれ防止効果に優れることは、例えば、特開昭６１−２４６１１２号公報、特開平６−１９９６３０号公報、特開昭６１−６５８０９号公報、特開昭６１−１５８９１３号公報、特開昭６１−１６１２１１号公報に記載されているように、当業者に広く知られた事項であり、また、刊行物１には「油分の中で特に、使用感触がさっぱりし、かつ化粧持ちの良いものを求めるのであれば下記構造式［１］、［２］で示される揮発性シリコーン油を用いることが好ましく、…（下記構造式［１］、［２］は省略）」（２頁右下欄１０行〜３頁右上欄）ことから、刊行物６に記載の皮膚及び唇への保湿効果に優れた固型化粧料に、揮発性化合物化合物を配合し、その耐うつり性、化粧くずれ防止効果を改善することは、当業者であれば格別の創意を要する事項とは認められない。
　　　　
４．むすび
　以上のとおりであるから、本件の請求項１〜２９に係る発明の特許は、特許法第２９条の規定に違反してされたものであり、同法第１１３条第２号に該当し、取り消されるべきものである。
　
　よって、結論のとおり決定する。
【異議決定日】
平成１５年４月７日（２００３．４．７）